(57)【要約】【課題】熱間長を鋳片の切断長とすると、鋳片の請求重量と、実際に製造された鋳片の重量との誤差が生じることがあった。【解決手段】切断装置１７が、溶鋼３が流し込まれる鋳型５から引抜かれたストランド８を、請求重量から求まる切断長で切断して鋳片９を製造する。測定器１８が、鋳片９の冷間長を測定する。プロセスコンピュータ１６が、測定器１８から取得した鋳片９の冷間長に基づいて、鋳片９の熱間長を補正する熱間補正係数を鋳片９毎に算出し、熱間補正係数によって補正した熱間長を、鋳片９の切断長として切断装置１７に指令する。【選択図】図１
2015058436.tif 000002
【特許請求の範囲】
【請求項１】
溶けた金属が流し込まれる鋳型から引抜かれた前記金属のストランドを、前記金属毎に請求重量から求まる切断長で切断する切断装置によって切断された前記ストランドである鋳片の冷間長を測定する測定器と、
前記測定器から取得した前記鋳片の冷間長に基づいて、前記鋳片の熱間長を補正する熱間補正係数を前記鋳片毎に算出し、前記熱間補正係数によって補正した前記熱間長を、前記鋳片の前記切断長として前記切断装置に指令する切断指令装置と、を備える
鋳片製造システム。
【請求項２】
前記切断指令装置は、正常値の範囲内にある前記鋳片の冷間長に基づいて、前記熱間補正係数を算出する
請求項１記載の鋳片製造システム。
【請求項３】
前記切断指令装置は、前記熱間補正係数を管理する情報管理テーブルを備え、
前記鋳片の種類に応じて、前記鋳片毎に求めた前記熱間補正係数を前記情報管理テーブルに保存する
請求項２記載の鋳片製造システム。
【請求項４】
前記熱間補正係数は、前記鋳片毎に求められた前記冷間長に対する前記熱間長の比が加算平均された値である
請求項３記載の鋳片製造システム。
【請求項５】
前記情報管理テーブルには、前記鋳片毎に求めた前記熱間補正係数が、前記鋳片の金属種別、厚み、幅の組み合わせに応じて管理される
請求項４記載の鋳片製造システム。
【請求項６】
測定器が、溶けた金属が流し込まれる鋳型から引抜かれた前記金属のストランドを、請求重量から求まる切断長で切断する切断装置によって切断された前記ストランドである鋳片の冷間長を測定するステップと、
切断指令装置が、前記測定器から取得した前記鋳片の冷間長に基づいて、前記鋳片の熱間長を補正する熱間補正係数を前記鋳片毎に算出し、前記熱間補正係数によって補正した前記熱間長を、前記鋳片の前記切断長として前記切断装置に指令するステップと、を含む
鋳片製造方法。
【発明の詳細な説明】
【技術分野】
【０００１】
本発明は、例えば、連続鋳造設備に設けられ、鋳型から引き抜かれたストランドを請求重量に見合った長さで切断するための鋳片製造システム及び鋳片製造方法に関する。
【背景技術】
【０００２】
従来、連続鋳造設備では、精錬された溶鋼が流し込まれた鋳型からピンチロールが引き抜いたストランドを、切断装置が連続して切断する連続鋳造が行われている。この連続鋳造では、熱い状態のストランドを、一定の長さで連続して切断し、鋳片を製造する熱間加工が行われる。ストランドを切断して得た鋳片は、さらに薄く圧延された後、コイル状に巻き取られて自動車のボディー等の製品に用いられる。
【０００３】
この熱間加工において、ストランドは膨張しており、切断された直後の鋳片も膨張している。この鋳片が冷えて収縮すると、熱間加工時に測定した鋳片の長さよりも短くなる。鋳片の長さは、鋳片製造後の工程によって様々に変わるため、鋳片は、圧延前と圧延後で変化しない重量により管理されている。この重量を「請求重量」と呼ぶ。
【０００４】
切断装置は、所定の幅、高さ等で成型されたストランドを、請求重量に見合う切断長により切断している。熱間加工においてプロセスコンピュータが切断装置に設定する切断長には、熱間補正係数で補正した熱間長が用いられており、鋳片の切断長の精度を高めるためには、正確な熱間補正係数が必要である。そこで、熱間補正係数を補正するための技術として特許文献１に記載されたものが知られている。
【０００５】
特許文献１には、鋳片の単重に関する情報管理テーブルを用い、情報管理テーブルに記録されている鋼種、向先、モールド種類に関する情報による切断のための単重値を補正し、その単重値を用いて鋳片を切断する技術が開示されている。
【先行技術文献】
【特許文献】
【０００６】
【特許文献１】特開２００１−４７２０４号公報
【発明の概要】
【発明が解決しようとする課題】
【０００７】
ところで、特許文献１に開示された技術では、直近の複数本の鋳片に対する重量測定値を得て、現行の切断に係る鋳片の単重値を補正するに過ぎない。このため、実際に鋳造して判明する多数の鋳片に生じた冷間長のバラツキを熱間補正係数に反映できなかった。また、切断装置の不調により切断された鋳片の長さが長すぎたり、短すぎたりすると、鋳片の実測値に異常値が混入してしまう。このような異常値を用いて熱間補正係数を求めてしまうと、この熱間補正係数から求められた熱間長も異常値となるため、請求重量に対して鋳片の重量の誤差が大きくなってしまい、鋳片製造の歩留まりが低下する。
【０００８】
本発明はこのような状況に鑑みて成されたものであり、鋳片の請求重量と、実際に製造された鋳片の重量との誤差を小さくすることを目的とする。
【課題を解決するための手段】
【０００９】
本発明は、測定器と、切断指令装置を用いて鋳片を製造するものである。
切断装置は、溶けた金属が流し込まれる鋳型から引抜かれた金属のストランドを、請求重量から求まる切断長で切断する切断装置によって切断されたストランドである鋳片の冷間長を測定する。
切断指令装置は、測定器から取得した鋳片の冷間長に基づいて、鋳片の熱間長を補正する熱間補正係数を鋳片毎に算出し、熱間補正係数によって補正した熱間長を、鋳片の切断長として切断装置に指令する。
【発明の効果】
【００１０】
本発明によれば、実測した鋳片の冷間長に基づいて算出した熱間補正係数により熱間長を補正して、この熱間長を鋳片の切断長としたことにより、請求重量に対する鋳片の重量の誤差を小さくし、鋳片製造の歩留まりを改善することができる。
【図面の簡単な説明】
【００１１】
【図１】本発明の一実施の形態例に係る連続鋳造設備の構成例を示す模式図である。
【図２】本発明の一実施の形態例に係る計算機のハードウェア構成例を示すブロック図である。
【図３】本発明の一実施の形態例に係る連続鋳造設備のネットワーク構成例を示すブロック図である。
【図４】従来の熱間補正係数を決定する処理例を示すフローチャートである。
【図５】本発明の一実施の形態例に係る連続鋳造設備のデータの流れを示すデータ関連図である。
【図６】本発明の一実施の形態例に係るプロセスコンピュータが熱間補正係数を決定する処理例を示すフローチャートである。
【図７】本発明の一実施の形態例に係る熱間補正係数テーブルのテーブル構成図である。
【発明を実施するための形態】
【００１２】
以下、本発明の一実施の形態例に係る連続鋳造設備１について、添付図面を参照して説明する。
この連続鋳造設備は、後述するプロセスコンピュータ１６がプログラムを実行することにより、連続鋳造設備が備える各装置が連携して行う鋳片製造方法を実現する。本明細書及び図面において、実質的に同一の機能又は構成を有する構成要素については、同一の符号を付することにより重複する説明を省略する。
【００１３】
［連続鋳造設備の概要］
図１は、連続鋳造設備１の構成例を示す模式図である。
連続鋳造設備１は、取鍋２、タンディッシュ４、鋳型５、ピンチロール６、スプレー帯７、搬送テーブル１０、上位系コンピュータ１５、プロセスコンピュータ１６、切断装置１７、測定器１８を備える。
上位系コンピュータ１５は、プロセスコンピュータ１６に対して、鋳片９の製造を指令するための製造指令データを出力する。この製造指令データには、鋳片９の請求重量が含まれる。そして、プロセスコンピュータ１６は、切断装置１７に対して、ストランド８を切断する指令を行う。
【００１４】
取鍋２には、溶けた金属の一例として、不図示の転炉から取出された鉄鋼を溶かした溶鋼３が注がれる。連続鋳造設備１まで搬送された取鍋２よりタンディッシュ４に注がれた溶鋼３は不純物が取り除かれた後、鋳型５に流し込まれる。溶鋼３の周囲が鋳型５内で凝固した後、鋳型５から溶鋼３がストランド８としてピンチロール６により引き抜かれる。鋳型５から引き抜かれた直後のストランド８は周囲が固まっているものの内部が凝固していない状態である。しかし、ピンチロール６がストランド８を搬送する過程において、スプレー帯７から噴射される冷却水によってストランド８が冷却されると、ストランド８の内部まで凝固していく。凝固したストランド８は、ピンチロール６により切断装置１７まで搬送される。
【００１５】
切断装置１７は、切断指令装置の一例としてのプロセスコンピュータ１６から切断指令データを受け取ると、プロセスコンピュータ１６が請求重量から求めた熱間長を切断長としてストランド８を切断し、鋳片９を製造する。
【００１６】
鋳片９は、搬送テーブル１０に置かれて次工程にある測定器１８まで搬送される。切断装置１７から測定器１８まで搬送テーブル１０によって運ばれる間（例えば、２４時間）に鋳片９は冷えて固まる。測定器１８は、搬送された鋳片９の冷間長及び重量を測定し、鋳片９の測定結果データをプロセスコンピュータ１６に送信する。鋳片９の重量が請求重量の範囲内にあれば、鋳片９は、不図示の圧延機に搬送されて、圧延された後、ローラ１１に巻き取られて、コイル状の圧延鋼板１２が製造される。
【００１７】
上述したようにプロセスコンピュータ１６は、切断装置１７に切断指令データを送ることにより、切断装置１７の動作を制御する。このプロセスコンピュータ１６は、上位系コンピュータ１５から製造指令データを受け取ると、請求重量に基づいて鋳片９の熱間長を求める。そして、測定器１８から取得した鋳片９の冷間長より、鋳片９の熱間長を補正する熱間補正係数を鋳片９毎に算出し、この熱間補正係数により鋳片９の熱間長を補正する。その後、プロセスコンピュータ１６は、補正した熱間長を鋳片９の切断長として、この切断長を切断装置１７に設定する。そして、切断装置１７は、設定された切断長によりストランド８を切断し、切断されたストランド８である鋳片９を製造する。
【００１８】
［計算機のハードウェア構成例］
図２は、計算機２０のハードウェア構成例を示すブロック図である。
ここでは、上位系コンピュータ１５、プロセスコンピュータ１６を構成する計算機２０のハードウェア構成を説明する。
【００１９】
計算機２０は、いわゆるコンピュータとして用いられるハードウェアである。計算機２０は、バス２４にそれぞれ接続されたＣＰＵ（Central Processing Unit：中央処理装置）２１、ＲＯＭ（Read Only Memory）２２、ＲＡＭ（Random Access Memory）２３を備える。さらに、計算機２０は、表示部２５、操作部２６、不揮発性ストレージ２７、ネットワークインタフェース２８とを備える。
【００２０】
ＣＰＵ２１は、本実施の形態例に係る各機能を実現するソフトウェアのプログラムコードをＲＯＭ２２から読み出して実行する。ＲＡＭ２３には、演算処理の途中に発生した変数やパラメータ等が一時的に書き込まれる。表示部２５には、例えば、液晶ディスプレイモニタが用いられ、計算機２０で行われる処理の結果等をユーザに表示する。操作部２６には、例えば、キーボード、マウス等が用いられ、ユーザが所定の操作入力、指令を行うことが可能である。
【００２１】
不揮発性ストレージ２７には、例えば、ＨＤＤ（Hard disk drive）、フレキシブルディスク、光ディスク、光磁気ディスク、ＣＤ−ＲＯＭ、ＣＤ−Ｒ、磁気テープ、不揮発性のメモリカード等が用いられる。この不揮発性ストレージ２７には、ＯＳ（Operating System）、各種のパラメータの他に、計算機２０を機能させるためのプログラムが記録されている。ネットワークインタフェース２８には、例えば、ＮＩＣ（Network Interface Card）等が用いられ、端子が接続されたＬＡＮのいずれかを介して各種のデータを送受信することが可能である。
【００２２】
本実施の形態例において、上位系コンピュータ１５、プロセスコンピュータ１６は、それぞれ計算機２０と同様のハードウェア構成としてある。
上位系コンピュータ１５は、表示部２５の表示内容を確認した作業者が行う操作入力によって発生した操作コマンドを受け取ると、一定の請求重量で鋳片９の製造するための製造指令データをプロセスコンピュータ１６に出力する。プロセスコンピュータ１６の表示部２５には、切断装置１７の稼働状態、測定器１８から受信した鋳片９の測定結果、熱間補正係数で補正した鋳片９の熱間長等の情報が表示される。また、鋳片９の製造結果は、上位系コンピュータ１５の表示部２５にも表示される。これにより、作業者は鋳片９が製造指令データの内容通りに製造されているか確認可能である。
【００２３】
さらに鋳片９の製造結果は、上位系コンピュータ１５、プロセスコンピュータ１６の不揮発性ストレージ２７に記録されるため、履歴管理が可能である。また、熱間補正係数を管理する情報管理テーブルの一例として用いられる熱間補正係数テーブル１９（後述する図５を参照）は、プロセスコンピュータ１６の不揮発性ストレージ２７に記録されている。
【００２４】
［連続鋳造設備のネットワーク構成例］
図３は、連続鋳造設備１のネットワーク構成例を示すブロック図である。
連続鋳造設備１が備える上位系コンピュータ１５、プロセスコンピュータ１６、切断装置１７、及び測定器１８は、ネットワークによって接続されており、通信可能である。このネットワークは、３階層に分かれており、上位系コンピュータ１５が接続される上位系ＬＡＮ３１、プロセスコンピュータ１６と切断装置１７が接続されるプロセスコンピュータＬＡＮ３２、測定器１８が接続される下工程ＬＡＮ３３がある。上位系ＬＡＮ３１、プロセスコンピュータＬＡＮ３２及び下工程ＬＡＮ３３は、隣り合うＬＡＮ毎に接続されている。なお、上位系ＬＡＮ３１及びプロセスコンピュータＬＡＮ３２には不図示のファイアウォール等が設けてあり、認証された装置以外は通信できない。
【００２５】
図１に示したように、上位系コンピュータ１５が決定した製造指令データは、上位系ＬＡＮ３１を介し、プロセスコンピュータ１６が接続されたプロセスコンピュータＬＡＮ３２へ送信される。プロセスコンピュータ１６は、プロセスコンピュータＬＡＮ３２から受け取った製造指令データに基づいて、プロセスコンピュータ１６が管理する切断装置１７の制御、切断指令データの作成等の処理を行う。
【００２６】
プロセスコンピュータ１６は、プロセスコンピュータＬＡＮ３２を介して、鋳片９の切断指令データを切断装置１７へ送信する。そして、切断装置１７がストランド８を切断して製造した鋳片９の冷間長は、測定器１８によって測定される。測定器１８は、測定した鋳片９の冷間長を含む測定結果データをプロセスコンピュータ１６に送信する。測定結果データは、下工程ＬＡＮ３３からプロセスコンピュータＬＡＮ３２を経てプロセスコンピュータ１６に至る。測定結果データを受け取ったプロセスコンピュータ１６は、実測された鋳片９の冷間長により、熱間補正係数を作成することができる。
【００２７】
［従来の熱間補正係数を用いた鋳片の製造方法］
ここで、従来の鋳片の製造方法について説明する。
図４は、従来の熱間補正係数を用いて鋳片を製造する処理例を示すフローチャートである。なお、図４で説明する従来の上位系コンピュータ、プロセスコンピュータ、切断装置は、本実施の形態に係る上位系コンピュータ１５、プロセスコンピュータ１６、切断装置１７と同様に不図示のネットワークに配置され、ＬＡＮを介して通信可能とする。
【００２８】
始めに、従来のプロセスコンピュータは、従来の上位系コンピュータより、鋳片を製造するための製造指令データを受信する（ステップＳ１）。このプロセスコンピュータは、受信した製造指令データに基づいて、鋳片の鋼種（金属種別の一例）、厚み、幅等のパラメータにより、不図示のテーブル等から熱間補正係数を取得する（ステップＳ２）。
【００２９】
そして、従来のプロセスコンピュータは、取得した熱間補正係数を用いて補正した熱間長を、鋳片の切断長とするように従来の切断装置へ設定する（ステップＳ３）。この切断装置は、設定された切断長によりストランドを切断し、鋳片を製造する。
【００３０】
従来の方法では、鋳片の種類によって熱間補正係数の修正を行っていないため、鋳片の種類によっては、鋳片の熱間長と冷間長の関係が一定とならないことがあった。この場合、製造した鋳片が冷えて熱間長よりも収縮した後、鋳片の重量を測定すると、鋳片の重量が請求重量に満たない場合があり、歩留まりが低下する要因となっていた。
【００３１】
［本実施の形態例に係る熱間補正係数の決定方法］
ここで、本実施の形態に係る熱間補正係数の決定方法について、図５と図６を参照して説明する。
図５は、連続鋳造設備１のデータの流れを示すデータ関連図である。
始めに、上位系コンピュータ１５が製造指令データを作成し（ステップＳ１１）、この製造指令データを、上位系ＬＡＮ３１を介してプロセスコンピュータ１６に送信する（ステップＳ１２）。
【００３２】
プロセスコンピュータ１６は、製造指令データを受信すると、熱間補正係数テーブル１９を参照して鋳片９の切断長を計算する（ステップＳ１３）。熱間補正係数テーブル１９には、鋳片９の種類に応じて、熱間補正係数テーブル１９に保存される鋳片９毎に求めた熱間補正係数の平均を補正した熱間補正係数が保存される。熱間補正係数テーブル１９には、後述する図７に示すように、鋳片９の鋼種、厚み、幅等によって異なる熱間補正係数が保存されている。
【００３３】
プロセスコンピュータ１６は、この切断長を含めた切断指令データを切断装置１７に出力する（ステップＳ１４）。切断装置１７には、切断指令データから取出された切断長が設定される。切断装置１７は、設定された切断長に従って、ストランド８を切断し、鋳片９を製造する（ステップＳ１５）。
【００３４】
そして、下工程として、測定器１８は、切断装置１７が製造した鋳片９の冷間長及び重量を測定する（ステップＳ１６）。そして、測定器１８は、測定結果データをプロセスコンピュータ１６に送信する（ステップＳ１７）。
【００３５】
プロセスコンピュータ１６は、測定器１８から受信した測定結果データから鋳片９の冷間長を取出して、熱間補正係数の補正処理を行う（ステップＳ１８）。そして、プロセスコンピュータ１６は、補正した熱間補正係数を熱間補正係数テーブル１９に書き込む（ステップＳ１９）。これにより、プロセスコンピュータ１６は、実際に製造した鋳片９の測定値（冷間長）に基づいて熱間補正係数を更新し、正確な熱間長を鋳片９の切断長として切断装置１７に設定することができる。
【００３６】
図６は、プロセスコンピュータ１６が熱間補正係数を決定する処理例を示すフローチャートである。
【００３７】
始めに、プロセスコンピュータ１６は、上位系コンピュータ１５より、製造指令データを受信する（ステップＳ２１）。次に、プロセスコンピュータ１６は、熱間補正係数テーブル１９から熱間補正係数を取得し（ステップＳ２２）、鋳片９の熱間長による切断長を切断装置１７へ設定する（ステップＳ２３）。切断装置１７は、設定された切断長によりストランド８を切断し、鋳片９を製造する（ステップＳ２４）。
【００３８】
次に、測定器１８は、製造された鋳片９の冷間長を測定し、鋳片９を検査する（ステップＳ２５）。検査の結果、鋳片９の冷間長が正常値の範囲外であれば、熱間補正係数の計算から除き、処理を終了する（ステップＳ２９）。このような鋳片９は、不良品として工程から除かれる。
【００３９】
鋳片９の冷間長が正常値の範囲内であれば、測定器１８は、測定した鋳片９の冷間長をプロセスコンピュータ１６に送信する（ステップＳ２６）。そして、プロセスコンピュータ１６は、切断装置１７に設定した切断長である鋳片９の熱間長と、測定器１８が実測した鋳片９の冷間長に基づいて、熱間補正係数を次式（１），（２）により計算する（ステップＳ２７）。熱間補正係数テーブル１９に保存される新たな熱間補正係数は、鋳片９毎に求められた冷間長に対する熱間長の比が加算平均された値となる。
【００４０】
αｉ＝Ｌｈｉ／Ｌｃｉ  …（１）
α′＝（α１＋α２＋…＋αｎ）／ｎ  …（２）
ここで、αｉはi番目に切断された鋳片９の熱間補正係数、Ｌｈｉはiケース目の鋳片９の熱間長であり、Ｌｃｉはi番目に切断された鋳片９の冷間長である。そして、α′は新たな熱間補正係数である。
【００４１】
プロセスコンピュータ１６は、計算した熱間補正係数を熱間補正係数テーブル１９に書き込む（ステップＳ２８）。このように鋳片９の冷間長から求めた新たな熱間補正係数αｉを用いて、鋳片の切断長を計算し、切断装置１７に設定した切断長を更新する。これにより、請求重量に合わせて正確な熱間長でストランド８を切断し、鋳片９を製造することができる。また、式（１），（２）により、正常範囲内の冷間長である鋳片９について、冷間長に対する熱間長の比αｉをならし、新たな熱間補正係数α′が異常値となることを防ぐことができる。
【００４２】
［熱間補正係数テーブルのテーブル構成例］
図７は、熱間補正係数テーブル１９のテーブル構成図である。
熱間補正係数テーブル１９は、鋳片９の鋼種、厚み、幅毎に測定した鋳片９の冷間長と熱間補正係数を、鋳片９の鋼種、厚み、幅の組み合わせに応じて複数の層１９ａ〜１９Ｎに保存している。これらの層１９ａ〜１９Ｎにおいて、上述した式（１）で用いた変数ｉに対応する鋳片ナンバーがキーとなり、この鋳片ナンバーに対して熱間補正係数が対応付けて保存される。この熱間補正係数テーブル１９の各層は、プロセスコンピュータ１６、上位系コンピュータ１５がそれぞれ備える表示部２５に表示することができる。このため、作業者は、熱間補正係数テーブル１９の内容を確認しやすい。
【００４３】
図１に示したように取鍋２に注がれた溶鋼３から引き抜かれたストランド８は、一定の鋼種、厚み、幅による鋳片９として製造される。このため、プロセスコンピュータ１６は、複数の鋳片９の冷間長から上述した式（１）、（２）を用いて正確な熱間補正係数を求めることにより、同じ鋼種、厚み、幅による鋳片９を製造するために必要となる正確な熱間長を切断長として切断装置１７に設定できる。
【００４４】
以上説明した一実施の形態に係る連続鋳造設備１によれば、特に製鋼工場における連続鋳造に際して、切断装置１７が設定された切断長でストランド８を切断した次工程において、十分に冷えた鋳片９の冷間長を測定器１８が測定する。そして、プロセスコンピュータ１６は、フィードバックされた鋳片９の冷間長と、切断装置１７に設定していた熱間長に基づいて熱間補正係数を補正し、一定の鋼種、厚み、幅による鋳片９の熱間長を求める。このように鋳片９を実測した冷間長を熱間補正係数に反映することができるため、熱間補正係数の精度を高めることができ、鋳片９の請求重量と、実際に製造した鋳片の重量との誤差を小さくすることができる。このため、鋳片９の製造に際して歩留りを改善することができる。
【００４５】
また、熱間補正係数テーブル１９には、複数の層１９ａ〜１９Ｎが設けられており、様々な鋼種、厚み、幅による鋳片９の熱間補正係数が保存されている。このため、連続鋳造の途中で、鋳片９の鋼種、厚み、幅を変更したとしても速やかに対応可能であり、連続鋳造設備１のライン停止時間を減少させることができる。なお、初めての鋼種、厚み、幅の組み合わせにより鋳片９を製造する場合には、別に試験等で求めた熱間補正係数を用いることとする。この場合であっても繰り返し鋳片９を製造することによって、熱間補正係数を補正し、熱間補正係数の精度を高めることができる。
【００４６】
また、鋳片９の冷間長を実測した結果、正常値の範囲外にある鋳片９は、速やかにラインから除かれると共に、熱間補正係数の計算からも除かれる。これにより、熱間補正係数の精度を高めることができる。
【００４７】
また、従来は鋳片の熱間長を求める際に鋳片の温度を測定していたが、高熱の鋳片の温度を測定可能な温度計は高価であり、このような温度計を連続鋳造設備に設置するためには導入コストが多くなっていた。しかし、本実施の形態に係る連続鋳造設備１では、鋳片９の冷間長を測定するため、高価な温度測定器を導入する必要がなく、導入コストを低減できる。
【００４８】
［変形例］
なお、連続鋳造設備１は、溶けた金属の一例として鉄鋼を溶かした溶鋼３から鋳片９を製造するものとして説明したが、アルミニウム、銅等の他の金属についても鋳片９を製造する際に用いてもよい。
【００４９】
また、鋳片９の冷間長が正常値の範囲外であることが判明したときは、鋳片９の冷間長、重量の情報と共に、連続鋳造設備１内の環境温度、装置のパラメータ等の情報をプロセスコンピュータ１６が取込み、以降の異常解析に役立てることももできる。
【００５０】
また、熱間補正係数テーブル１９が管理する熱間補正係数は、鋳片９の鋼種、厚み、幅に限らず、請求重量等の他の変数についても組み合わせに応じて作成した層によりテーブルを構成してもよい。
【００５１】
また、本発明は上述した実施の形態例に限られるものではなく、特許請求の範囲に記載した本発明の要旨を逸脱しない限りその他種々の応用例、変形例を取り得ることは勿論である。
例えば、上記した実施の形態例は本発明を分かりやすく説明するために装置及びシステムの構成を詳細且つ具体的に説明したものであり、必ずしも説明した全ての構成を備えるものに限定されるものではない。また、ある実施例の構成の一部を他の実施例の構成に置き換えることは可能であり、更にはある実施例の構成に他の実施例の構成を加えることも可能である。また、各実施例の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００５２】
１…連続鋳造設備、３…溶鋼、８…ストランド、９…鋳片、１０…搬送テーブル、１５…上位系コンピュータ、１６…プロセスコンピュータ、１７…切断装置、１８…測定器、１９…熱間補正係数テーブル
【図１】
2015058436.tif 000003
【図２】
2015058436.tif 000004
【図３】
2015058436.tif 000005
【図４】
2015058436.tif 000006
【図５】
2015058436.tif 000007
【図６】
2015058436.tif 000008
【図７】
2015058436.tif 000009